(57)【特許請求の範囲】
【請求項１】
ヘッドとシャフトを分離可能に結合する構造のゴルフクラブであって、
前記シャフトを差し込むシャフト差し込み穴をホーゼル部に設けるとともに前記シャフト差し込み穴の底部に雌ネジ穴を設け、前記雌ネジ穴の底部にヘッド底面まで貫通する治具差し込み穴を設けたヘッドと、前記シャフトの端部に外挿固定され、シャフトと共に前記シャフト差し込み穴に差し込まれるスリーブと、前記スリーブの先端部に抜け止めされた状態で且つフリー回転可能に保持されたネジ部材と、を有し、
前記ヘッド底面側から前記治具差し込み穴に治具を差し込み、前記差し込んだ治具によって前記ネジ部材を回転させることにより前記ネジ部材を前記雌ネジ穴にねじ込み、
前記スリーブの内周面および前記シャフトの外周面間に介在する接着剤が前記ネジ部材に達してフリー回転を阻害することがないように前記スリーブの内部において前記シャフトと前記ネジ部材の間に前記接着剤をシールするプラグが設けられていることを特徴とするゴルフクラブ。
【請求項２】
請求項１記載のゴルフクラブにおいて、
前記プラグが前記ネジ部材に接触してフリー回転を阻害することがないように前記スリーブの内周面に前記プラグを位置決め係合する段差状の係合部が設けられていることを特徴とするゴルフクラブ。
【発明の詳細な説明】
【技術分野】
【０００１】
本発明は、ヘッドとシャフトを分離可能に結合する構造のゴルフクラブに関する。
【背景技術】
【０００２】
昨今におけるゴルフ業界の動向としてユーザーの体型やスイング等に対応すべくフィッティングにより、各ユーザーに合ったゴルフクラブの提供を実施しており、すなわちメーカーサイドとしては一の番手クラブにおいて、ライ角の大きさ等を異にする複数種類のヘッドと、長さ、重さもしくは固さ等を異にする複数種類のシャフトとを用意し、これらに共通の、分離可能な結合構造を設定する。ユーザーは店頭にてこれらを適宜組み合わせて試し打ちを行ない、最も自分に合った組み合わせを購入する。
【０００３】
このため、従来から図７ないし図９に示すように、ヘッド１０１とシャフト１０２を分離可能に結合する構造のゴルフクラブが提案されているが、これらの従来技術には以下の不都合がある。
【０００４】
図７のゴルフクラブは、ホーゼル上端部１０３にキャップ１０４をねじ込んでスリーブ１０５を変形させることによりヘッド１０１にシャフト１０２を締付け固定する構造とされている。したがってヘッド１０１とシャフト１０２を分離可能に結合すると云う機能面では十分な性能を備えているが、ホーゼル上端部１０３にキャップ１０４をねじ込むと云う特殊な構造であるために、当該ゴルフクラブの外観が一般のゴルフクラブ（ヘッドとシャフトが分離可能でないゴルフクラブ）とかなり異なることになる。したがってユーザーとしてアドレスしたときに違和感を覚えるおそれがある（特許文献１参照）。
【０００５】
また、図８または図９のゴルフクラブは、ヘッド１０１とシャフト１０２を分離可能に結合すべくヘッド１０１の底面１０６側からネジ部材１０７をねじ込む構造とされている。したがって当初強くねじ込んでも、使用しているうちに徐々に緩んでネジ部材１０７がヘッド１０１下方へ脱落するおそれがある（特許文献２または３参照）。
【先行技術文献】
【特許文献】
【０００６】
【特許文献１】実用新案登録第３１３２１５３号公報
【特許文献２】特開２００９−１４８５６０号公報
【特許文献３】特表２０１０−５０２３９９号公報
【発明の概要】
【発明が解決しようとする課題】
【０００７】
本発明は以上の点に鑑みて、ヘッドとシャフトを分離可能に結合する構造でありながらホーゼル上端部にキャップをねじ込む構造でなく、よってゴルフクラブの外観が一般のゴルフクラブと同等であり、しかもヘッドの底面側からネジ部材をねじ込む構造でなく、よってネジ部材が脱落するおそれがないゴルフクラブを提供することを目的とする。
【課題を解決するための手段】
【０００８】
上記目的を達成するため、本発明の請求項１によるゴルフクラブは、ヘッドとシャフトを分離可能に結合する構造のゴルフクラブであって、前記シャフトを差し込むシャフト差し込み穴をホーゼル部に設けるとともに前記シャフト差し込み穴の底部に雌ネジ穴を設け、前記雌ネジ穴の底部にヘッド底面まで貫通する治具差し込み穴を設けたヘッドと、前記シャフトの端部に外挿固定され、シャフトと共に前記シャフト差し込み穴に差し込まれるスリーブと、前記スリーブの先端部に抜け止めされた状態で且つフリー回転可能に保持されたネジ部材と、を有し、前記ヘッド底面側から前記治具差し込み穴に治具を差し込み、前記差し込んだ治具によって前記ネジ部材を回転させることにより前記ネジ部材を前記雌ネジ穴にねじ込み、前記スリーブの内周面および前記シャフトの外周面間に介在する接着剤が前記ネジ部材に達してフリー回転を阻害することがないように前記スリーブの内部において前記シャフトと前記ネジ部材の間に前記接着剤をシールするプラグが設けられていることを特徴とする。
【０００９】
また、本発明の請求項２によるゴルフクラブは、上記した請求項１記載のゴルフクラブにおいて、前記プラグが前記ネジ部材に接触してフリー回転を阻害することがないように前記スリーブの内周面に前記プラグを位置決め係合する段差状の係合部が設けられていることを特徴とする。
【００１６】
上記構成を備える本発明のゴルフクラブにおいては、ヘッドとシャフトの連結構造として、ヘッドのホーゼル部にシャフト差し込み穴が設けられ、シャフト差し込み穴の底部に雌ネジ穴が設けられ、雌ネジ穴の底部に治具差し込み穴がヘッド底面まで貫通するように設けられる。一方、シャフトの端部にスリーブが外挿固定され、スリーブの先端部にネジ部材が抜け止めされた状態で且つフリー回転可能に保持される。そしてヘッド側の雌ネジ穴にシャフト側のネジ部材がねじ込まれる。
【００１７】
連結作業の手順としては先ず、スリーブにネジ部材を組み付け、このネジ部材を組み付けたスリーブをシャフトの端部に外挿固定する。外挿固定の接合手段としては例えば接着剤を用いる。次いでスリーブをシャフトと共にシャフト差し込み穴に差し込み、一方、ヘッド底面側から治具差し込み穴に治具を差し込む。そして、差し込んだ治具によってネジ部材を回転させるとネジ部材が雌ネジ穴にねじ込まれ、これによりヘッドとシャフトが連結される。また、治具によってネジ部材を反対向きに回転させるとネジ部材が雌ネジ穴から外れるので、シャフトをスリーブと共に引き抜くことによりヘッドとシャフトが分離される。ヘッドと別のシャフトを組み合わせる場合には、シャフトごとに用意するスリーブを用いる。
【００１８】
したがって本発明のゴルフクラブは、上記従来技術におけるキャップに相当する部品を有さず、ホーゼル上端部にキャップをねじ込むと云う構造を有しないものであり、よってゴルフクラブの外観が一般のゴルフクラブと同等となる。また本発明のゴルフクラブは、上記従来技術におけるヘッドの底面側からネジ部材をねじ込むと云う構造を有しないものであり、よってネジ部材が脱落するおそれがないものとなる。
【００１９】
スリーブの先端部に抜け止めされた状態で且つフリー回転可能に保持されるネジ部材としては、スリーブの内周面に設けた鍔状の係合部に係合して抜け止めされる比較的大径の頭部と、スリーブの先端から突出する比較的小径の雄ネジ部とを一体に備えるものとするのが好適であり、これによれば、スリーブに対してネジ部材が抜け止めされる機能およびスリーブに対してネジ部材がフリー回転する機能が双方共に実現される。またこの場合、雄ネジ部の先端面には、治具を係合するための治具用係合部を設けることが望ましい。
【００２０】
また、シャフトの端部にスリーブを外挿固定するための接合手段として接着剤を用いる場合には、この接着剤がネジ部材に達することによりネジ部材のフリー回転を阻害することが懸念される。そこでこれに対策するには、スリーブの内部においてシャフトとネジ部材の間に接着剤をシールするためのプラグを設けるのが好適であり、これによれば、プラグによって接着剤がネジ部材に届かず、よってネジ部材のフリー回転を確保することが可能となる。
【００２１】
また、このようにシャフトとネジ部材の間にプラグを設ける場合には、このプラグがネジ部材に接触することによりネジ部材のフリー回転を阻害することが懸念される。そこでこれに対策するには、スリーブの内周面にプラグを位置決め係合するための段差状の係合部を設けるのが好適であり、これによれば、係合部によってプラグがネジ部材に届かず、よってネジ部材のフリー回転を確保することが可能となる。
【００２２】
また、本発明のゴルフクラブは、ヘッド側の雌ネジ穴にシャフト側のネジ部材をねじ込むものであるので、打球時に生じる回転トルクによってシャフトに対するヘッドの取り付け角度が変わってしまうことが懸念される。そこでこれに対策するには、スリーブとこれを差し込むホーゼル部との間に両者を回り止めするための回り止め構造を設けるのが好適であり、これによれば、シャフトに対してヘッドが回転せず、よってシャフトに対するヘッドの取り付け角度を初期設定どおりに維持すること可能となる。
【００２３】
また、本発明のゴルフクラブは、ヘッド底面まで貫通する治具差し込み穴を設けるものであるので、この治具差し込み穴による開口があまりに大きいと例えばアイアンヘッドのバックフェースが一部えぐられた状態となってヘッドの見栄えが悪くなることが懸念される。そこでこれに対策するには、ヘッドの構造に関してシャフト差し込み穴の内径寸法よりも雌ネジ穴の内径寸法を小さくするとともにこの雌ネジ穴の内径寸法よりも差し込み穴の内径寸法を更に小さく設定することにより随分と小さな治具差し込み穴がヘッドのソール面のみに開口している構造とするのが好適であり、これによれば、治具差し込み穴による開口が見えにくくなるため、ヘッドの見栄えを良くすることが可能となる。
【００２４】
また、本発明のゴルフクラブは、上記したようにシャフトごとにスリーブを用意するものであるので、重いシャフトに用いるスリーブと軽いシャフトに用いるスリーブとが同じ重さではクラブ全体の重量バランスに微妙な影響を及ぼすことが懸念される。そこでこれに対策するには、スリーブとして、比重を異にする金属素材によって製作された複数種類のスリーブを用意し、このなかから一のスリーブを選択使用するのが好適であって、これによれば、重いシャフトに重いスリーブを用いる、軽いシャフトに軽いスリーブを用いるというように使い分けすることにより重量バランスを安定化することが可能となる。
【００２５】
本発明によるヘッドとシャフトの連結構造は、ウッドクラブ、アイアンクラブまたはパターの何れにも適用可能である。
【発明の効果】
【００２６】
上記構成を備える本発明においては、ヘッドとシャフトの連結が雌ネジ穴およびネジ部材の組み合わせによってホーゼル内部で行なわれるために、ホーゼル上端部にキャップをねじ込む必要がなく、よってゴルフクラブの外観が一般のゴルフクラブと同等となる。また、ネジ部材がスリーブに保持された状態でホーゼル内部に組み込まれるために、ネジ部材が脱落するおそれが全くない。したがってヘッドとシャフトを分離可能に結合する構造でありながら外観が一般のゴルフクラブと同等であって、しかもネジ部材が脱落するおそれがないゴルフクラブを提供することができる。
【００２７】
また、スリーブ内部にプラグを設けることにより接着剤がネジ部材のフリー回転を阻害するのを抑制することができ、スリーブ内周面に位置決め用の係合部を設けることによりプラグがネジ部材のフリー回転を阻害するのを抑制することができる。また、スリーブおよびホーゼル部間に回り止め構造を設けることによりシャフトに対しヘッドが回転するのを抑制することができ、治具差し込み穴の内径寸法を小さく設定することによりヘッドの見栄えを良くすることができる。また、比重を異にする複数種類のスリーブを用意することによりゴルフクラブの重量バランスを安定化させることができ、以上述べた作用効果をウッドクラブ、アンアンクラブおよびパターの全てにおいて実現することができる。
【図面の簡単な説明】
【００２８】
【図１】本発明の実施例に係るゴルフクラブが備えるヘッドおよびシャフト連結構造の断面図
【図２】同連結構造の組み立て前の状態を示す断面図
【図３】同連結構造を備えるアイアンクラブの組み立て前の状態を示す要部正面図
【図４】同アイアンクラブの要部断面図
【図５】同連結構造を備えるウッドクラブの組み立て前の状態を示す要部正面図
【図６】同ウッドクラブの要部断面図
【図７】従来例に係るゴルフクラブの要部断面図
【図８】他の従来例に係るゴルフクラブの組み立て前の状態を示す斜視図
【図９】他の従来例に係るゴルフクラブの組み立て前の状態を示す正面図
【発明を実施するための形態】
【００２９】
つぎに本発明の実施例を図面にしたがって説明する。
【００３０】
図１および図２は、本発明の実施例に係るゴルフクラブ１が備えるヘッドおよびシャフトの連結構造を示している。また、図３および図４はこの連結構造をアイアンクラブに適用した場合、図５および図６はこの連結構造をウッドクラブに適用した場合をそれぞれ示している。当該連結構造は、ヘッドとシャフトを分離可能に結合するものであって、以下のように構成されている。
【００３１】
すなわち図１および図２に示すように先ず、ヘッド１１（図３ないし図６参照）側の構成として、ヘッド本体１２（図３ないし図６参照）と一体のホーゼル部１３にシャフト２１を差し込むためのシャフト差し込み穴１４が設けられ、このシャフト差し込み穴１４の底部に雌ネジ穴１５が設けられ、雌ネジ穴１５の底部に治具差し込み穴１６がヘッド底面１１ａ（図３ないし図６参照）まで貫通するように設けられている。一方、シャフト２１側の構成として、シャフト２１の端部にスリーブ３１が外挿固定され、このスリーブ３１の先端部（下端部）にネジ部材４１が抜け止めされた状態で且つフリー回転可能に保持されている。そしてヘッド１１側の雌ネジ穴１５にシャフト２１側のネジ部材４１がねじ込まれる構成とされている。
【００３２】
スリーブ３１は、円筒状の部品であって、連結後にシャフト差し込み穴１４の内部に配置される小径部３２を備え、この小径部３２の上端に環状の段差部３３を介して、連結後にホーゼル部１３の上方に配置される、ホーゼル部１３と略同径の大径部３４が一体成形されている。また、大径部３４の更に上方にソケット部３５が一体成形されているが、このソケット部３５は図３または図５に示すようにスリーブ３１に対し別体の部品としても良い。また、小径部３２の下端すなわちスリーブ３１の下端に位置してスリーブ３１の内周面に鍔状の係合部３６が設けられ、この鍔状の係合部３６の上方に位置してスリーブ３１の内周面に段差状の係合部３７が設けられている。
【００３３】
ネジ部材４１は、スリーブ３１にその上端開口から挿入されるものであって、スリーブ３１の内周面に設けた鍔状の係合部３６に係合することにより下方へ向けて抜け止めされる比較的大径の頭部４２を備え、この頭部４２の下面側に、スリーブ３１の下端部から下方へ向けて突出する比較的小径の雄ネジ部４３が一体成形されている。また、頭部４２の上面すなわちネジ部材４１の上面および雄ネジ部４３の下面すなわちネジ部材４１の下面にそれぞれ、治具（図示せず）を係合するための治具用係合部４４，４５が設けられており、当該実施例では治具として棒状の六角レンチが想定されているので、治具用係合部４４，４５としてそれぞれ六角穴が設けられている。
【００３４】
スリーブ３１はシャフト２１の端部に外挿固定されるが、その接合手段として接着剤（図示せず）が用いられる。接着剤はスリーブ３１の内周面およびこれに対応するシャフト２１の外周面の間に介在することになるが、この接着剤の余剰分がネジ部材４１に達して固まるようなことがあるとネジ部材４１のフリー回転を阻害してしまうので、これを防止すべくスリーブ３１の内部においてシャフト２１とネジ部材４１の間に、接着剤をシールするためのプラグ５１が設けられている。プラグ５１はスリーブ３１の内径寸法と略同径の円板状の小部品である。
【００３５】
また、このプラグ５１がネジ部材４１に接触するようなことがあるとネジ部材４１のフリー回転を阻害してしまうので、これを防止すべくこのプラグ５１が、スリーブ３１の内周面に設けた段差状の係合部３７に係合することにより位置決め配置されている。したがって鍔状の係合部３６から段差状の係合部３７までの間隔はネジ部材４１の頭部４２の厚みよりも少々大きく設定されている。
【００３６】
また、スリーブ３１とこれを差し込むホーゼル部１３との間に、両者１３，３１を回り止めするための回り止め構造６１が設けられており、この回り止め構造６１が具体的には、互いに突き合わされるスリーブ３１の段差部３３とホーゼル部１３の上端部にそれぞれ互いに対応する多角面形状（例えば八角面形状）６２，６３を設けることによって形成されている。すなわちスリーブ３１の外周面が段差部３３の下方において円筒面でなく多角面形状６２とされ、これに対応してホーゼル部１３の上端部の内周面も円筒面でなく多角面形状６３とされている。したがって多角面形状６２，６３同士が円周方向に係合するため、スリーブ３１とこれを差し込むホーゼル部１３が互いに回り止めされ、延いてはシャフト２１とヘッド１１が回り止めされることになる。またホーゼル部１３の上端部内周面はシャフト２１の折損防止のため、テーパー面状に加工するのが好ましい。
【００３７】
上記ヘッド１１に設けられたシャフト差し込み穴１４、雌ネジ穴１５および治具差し込み穴１６は、同一中心軸線０上に配置されている。またこれらの寸法関係において、雌ネジ穴１５の内径寸法はシャフト差し込み穴１４の内径寸法よりも小さく設定されるとともに治具差し込み穴１６の内径寸法は雌ネジ穴１５の内径寸法よりも更に小さく設定され、よって治具差し込み穴１６の内径寸法は実寸で４ｍｍ程度と随分小さく設定されている。したがってこのように実寸で４ｍｍ程度と随分小さな治具差し込み穴１６が図４または図６に示すようにヘッド１１のソール面のみに開口している。
【００３８】
スリーブ３１、ネジ部材４１およびプラグ５１は何れも金属製の部品である。
【００３９】
上記構成のゴルフクラブ１を組み立てる、すなわちヘッド１１とシャフト２１を連結するに際しては、図２の状態から先ず、スリーブ３１にネジ部材４１およびプラグ５１を組み付け、このネジ部材４１およびプラグ５１を組み付けたスリーブ３１をシャフト２１の端部に接着剤を用いて外挿固定する。次いでスリーブ３１をシャフト２１と共にシャフト差し込み穴１４に差し込み、一方、ヘッド底面１１ａ側から治具差し込み穴１６に治具（図示せず）を差し込む。そして差し込んだ治具の先端をネジ部材４１の治具用係合部４５に係合して回転すると、ネジ部材４１の雄ネジ部４３が雌ネジ穴１５にねじ込まれてゆき、スリーブ３１の下端部がシャフト差し込み穴１４の底面に突き当たると爾後、ネジ部材４１の頭部４２とシャフト差し込み穴１４の底面の間でスリーブ３１が強く締め付けられる。このとき締付けが最終段階に至る前にヘッド１１とシャフト２１の回転方向の向きを合わせたうえでスリーブ３１外周面およびホーゼル部１３上端部に設けた回り止め構造６１（多角面形状６２，６３同士）を係合させることによりヘッド１１とシャフト２１の向きが正確に合わせられる。締付けを完了した時点でヘッド１１とシャフト２１は、上記したようにネジ部材４１の頭部４２とシャフト差し込み穴１４の底面間でスリーブ３１が強く締め付けられるとともに回り止め構造６１が係合しているので、強固に連結され、打球時の反力による回転トルクがヘッド１１に作用しても連結が緩むことはない。尚、この回転トルクの作用について云えば、このトルクが作用したときにねじ込みが深まるようにネジ部材４１および雌ネジ穴１５によるねじ込みの螺旋の向きを設定するのが好ましく、これによれば、連結が一層緩みにくくなる。
【００４０】
また、上記構成のゴルフクラブ１を分解する、すなわちヘッド１１とシャフト２１を分離するに際しては、ヘッド底面１１ａ側から治具差し込み穴１６に治具を差し込み、治具の先端をネジ部材４１の治具用係合部４５に係合して反対向きに回転させるとネジ部材４１の雄ネジ部４３が雌ネジ穴１５から外れるので、外れた後にシャフト２１をホーゼル部１３から引き抜くことによりヘッド１１とシャフト２１が分離される。このときスリーブ３１はシャフト２１の端部に接着剤を用いて固定されたままであるので、ヘッド１１と別のシャフト２１を組み合わせる場合には、シャフト２１ごとに新たなスリーブ３１、ネジ部材４１およびプラグ５１を用意してこれらを用いることになる。
【００４１】
また、このシャフト２１の交換に関連して、上記したように重いシャフト２１に用いるスリーブ３１と軽いシャフト２１に用いるスリーブ３１とが同じ重さではクラブ全体の重量バランスに微妙な影響を及ぼすことが懸念されるので、スリーブ３１として、比重を異にする金属素材によって製作された複数種類のスリーブ３１を用意し、このなかから一のスリーブ３１を選択して使用するのが好適であり、これによれば、重いシャフト２１に重いスリーブ３１を用いる（例えばステンレス鋼によるスリーブ３１を用いる）、あるいは軽いシャフト２１に軽いスリーブ３１を用いる（例えばチタン合金によるスリーブ３１を用いる）というように使い分けをすることによりゴルフクラブ１の重量バランスを安定化させることができる。
【００４２】
上記したように図３および図４は当該連結構造をアイアンクラブに適用した場合を示すとともに図５および図６は当該連結構造をウッドクラブに適用した場合を示しているが、このほか当該連結構造はパター（図示せず）に適用することも可能であって、いずれにしても本発明所期の目的どおり、ヘッド１１とシャフト２１を分離可能に結合する構造でありながら外観が一般のゴルフクラブと同等であって、しかもネジ部材４１が脱落するおそれがないゴルフクラブ１を提供することができる。また、スリーブ３１の内部にプラグ５１を設けることにより接着剤がネジ部材４１のフリー回転を阻害するのを抑制することができ、スリーブ３１の内周面に位置決め用の係合部３７を設けることによりプラグ５１がネジ部材４１のフリー回転を阻害するのを抑制することができる。また、スリーブ３１およびホーゼル部１３の間に回り止め構造を設けることによりシャフト２１に対しヘッド１１が回転するのを抑制することができ、治具差し込み穴１６の内径寸法を小さく設定することによりヘッド１１の見栄えを良くすることができる。また、比重を異にする複数種類のスリーブ３１を用意することによりゴルフクラブ１の重量バランスを安定化させることができ、これらの作用効果をウッドクラブ、アンアンクラブおよびパターの全てにおいて実現することができる。
【００４３】
尚、上記実施例について更に説明すると、ネジ部材４１の構成として、雄ネジ部４３の基端部（根元部）には、雄ネジ４６が切られていない雄ネジ４６の谷径と略同径の円筒面部４７が所定の長さに亙って設けられており、この円筒面部４７の長さは鍔状の係合部３６の厚みと略同等とされている。またスリーブ３１の構成として、鍔状の係合部３６の内周面には、雄ネジ部４３の雄ネジ４６と螺合する雌ネジ３８が切られている。これらの関係は以下のとおりとされている。
【００４４】
すなわち図２の状態で、スリーブ３１の上端開口からネジ部材４１を挿入すると、雄ネジ４６の山が雌ネジ３８の山に引っかかるので、回転させない限りネジ部材４１は鍔状の係合部３６に当接して停止する。この停止した状態で、スリーブ３１の上端開口から治具（図示せず）を挿入して治具の先端をネジ部材４１の上面に設けた治具用係合部４４に係合して回転すると、雄ネジ４６は雌ネジ３８にねじ込まれてゆき、やがて雌ネジ３８を通過してスリーブ３１の下面側に突出する。この雄ネジ４６が突出した状態でネジ部材４１は頭部４２が鍔状の係合部３６に係合し、よってネジ部材４１はスリーブ３１に対し下向きに抜け止めされる。またこの雄ネジ４６が突出した状態で雌ネジ３８の内周側には円筒面部４７が位置し、よってネジ部材４１はスリーブ３１に対しフリー回転可能とされる。またこの雄ネジ４６が突出した状態でネジ部材４１を上方へ引き抜こうとしても雄ネジ４６の山が雌ネジ３８の山に引っかかるので、回転させない限りネジ部材４１はスリーブ３１に対し上向きにも抜け止めされる。したがってスリーブ３１にネジ部材４１を組み付けた状態でネジ部材４１はフリー回転可能でありながらスリーブ３１と一体化され、両者３１，４１がバラバラにならないので、部品の取り扱い作業性を向上させることができる。
【００４５】
したがって、当該構成はこのように部品の取り扱い作業性を向上させるものであるが、これに対し両者３１，４１がバラバラになるのを許容するならば、当該構成は不要となる。すなわちこの場合は、鍔状の係合部３６の内周面に雌ネジ３８を設ける必要はなく、雄ネジ部４３の基端部に円筒面部４７を設ける必要はなく、ただ単に、鍔状の係合部３６の内径寸法を雄ネジ４６の山径よりも大きく設定すれば良い。
【符号の説明】
【００４６】
１  ゴルフクラブ
１１  ヘッド
１１ａ  ヘッド底面
１２  ヘッド本体
１３  ホーゼル部
１４  シャフト差し込み穴
１５  雌ネジ穴
１６  治具差し込み穴
２１  シャフト
３１  スリーブ
３２  小径部
３３  段差部
３４  大径部
３５  ソケット部
３６  鍔状の係合部
３７  段差状の係合部
３８  雌ネジ
４１  ネジ部材
４２  頭部
４３  雄ネジ部
４４，４５  治具用係合部
４６  雄ネジ
４７  円筒面部
５１  プラグ
６１  回り止め構造
６２，６３  多角面形状
０  中心軸線
【図１】
0005774407.tif 000002
【図２】
0005774407.tif 000003
【図３】
0005774407.tif 000004
【図４】
0005774407.tif 000005
【図５】
0005774407.tif 000006
【図６】
0005774407.tif 000007
【図７】
0005774407.tif 000008
【図８】
0005774407.tif 000009
【図９】
0005774407.tif 000010